(57)【要約】【課題】構内無線電話網において自動的に登録管理電話帳を更新し、登録ユーザー端末へ電話帳を配信する。【解決手段】携帯端末１０は無線基地局２０が送信する位置情報により、通信可能な基地局を判断する。そして、携帯端末１０が無線基地局２０と通信可能になった際に、携帯端末１０を所有するユーザーは、データベースへ携帯端末１０の情報を登録する。携帯端末１０が無線基地局２０の通信エリア外になってから一定時間経過後に無線基地局２０は無線公衆網５０を経由して携帯端末１０内の電話帳を削除し、データベースから携帯端末１０の登録を削除する。無線基地局２０は一定周期でサーバ４０内のデータベースに登録された各携帯端末１０へ対し、差分電話帳情報をブロードキャストする。【選択図】図１
2007174326.tif 000002
【特許請求の範囲】
【請求項１】
携帯端末と、この携帯端末と通信する無線基地局と、この無線基地局とＩＰネットワークで接続され、前記無線基地局の配下の携帯端末情報を管理するセンタ局とからなる通信システムにおいて、
前記センタ局は、前記無線基地局の配下の携帯端末情報に更新があったとき、前記携帯端末に、携帯端末情報を送信することを特徴とする通信システム。
【請求項２】
少なくとも通信相手の電話番号を記録されたメモリを含む携帯端末と、この携帯端末を配下とする無線基地局と、この無線基地局とＩＰネットワークで接続され、前記無線基地局の配下の携帯端末情報を管理するセンタ局とからなる通信システムにおいて、
前記センタ局は、前記携帯端末が、前記無線基地局の配下から外れたことを検出したとき、予め定めた時間後に、前記携帯端末宛に、前記メモリの一部または全ての消去要求を送信することを特徴とする通信システム。
【請求項３】
ＲＦ信号処理とＤ/Ａ変換およびＡ/Ｄ変換と変調復調処理を行う無線終端部と、該無線終端部と接続され、通信の制御を行う制御部と、該制御部と接続され、少なくとも通信相手の電話番号を記録されたメモリとからなる無線携帯端末において、
無線基地局からメモリ消去信号を受信したとき、前記メモリの一部または全てを消去することを特徴とする無線携帯端末。
【発明の詳細な説明】
【技術分野】
【０００１】
本発明は通信システムおよび無線携帯端末に係り、特に無線携帯端末に記録される通信先の電話番号情報を更新する通信システムまたは無線携帯端末に関する。
【背景技術】
【０００２】
近年、オフィス内での有線の内線電話機に代わる通話手段として、携帯端末を内線電話としても使えるようにするモバイル・セントレックスが注目を集めている。このサービスでは内線電話の交換機能を、ＰＢＸから携帯電話サービス事業者側へ移す。これにより、モバイル・セントレックスでは、オフィスのレイアウト変更などに伴う配線工事が不要になる。また、モバイル・セントレックスを適用すれば、相手が離席時でも通話が出来るなどのメリットがある。
【０００３】
モバイル・セントレックスでは、オフィス全域を通信エリアとしてカバーする基地局を設ける。このサービスのユーザーは、携帯電話（携帯端末）の配布を受ける。ユーザーが、携帯端末を用いてオフィス内にて内線番号を発呼すると基地局に接続されたのサーバ内データベースの変換テーブルにて内線番号と公衆番号（携帯電話番号）とが変換され、公衆番号にて通信相手へ発呼される仕組みである。また、携帯端末が内線番号で発呼できるのはオフィス内に限り、オフィス内基地局のエリア外では通常の携帯端末として機能する。
【０００４】
ユーザーが内線電話機として使用する携帯電話は電話番号、メールアドレスを管理する電話帳機能を備える。ユーザーはユーザー自身で電話帳を編集し、電話帳を参照することにより素早く通話することが可能である。
【０００５】
特許文献１には、電話番号を電話帳サーバで管理し、番号変更のあった携帯電話の電話番号情報を特定のグループに登録された端末へ対し、変更の都度登録端末の電話帳を自動的に更新する発明が記載されている。
【０００６】
また、ユーザーの端末がどの携帯電話基地局のエリア内にいるかを知る技術として、基地局がエリア内にゾーン信号を送信し、端末は定期的に受信確認を行い、受信したゾーン信号によりどの基地局のエリア内にいるかを判断し、それまでいたゾーンから異なるゾーンに侵入した際に基地局へ通知する技術が知られている。
【０００７】
【特許文献１】特開２００５−７９８４５号公報
【発明の開示】
【発明が解決しようとする課題】
【０００８】
携帯電話を内線電話として使用するシステムの特徴としてユーザーの入退場の頻度が高く、電話番号の変更が頻繁に起こることが挙げられる。また、ユーザーの入退場も一度に複数のユーザーがまとめて移動することが多く、その時期も期末、期始めといった特定の時期に集中する傾向が見られる。また、個人がプライベートで管理する携帯電話の電話帳と比べ、内線電話用の携帯電話は電話帳情報が大容量で且つユーザーが共有する内容であることも挙げられる。さらに、データベースに保存された電話番号情報はオフィス外へ流出することがないよう、セキュリティの高いシステムにて管理する必要がある。
【０００９】
以上のオフィス内携帯内線電話という使用環境において以下に示す課題がある。ユーザーは仕事上関係する大量の内線電話番号およびユーザー情報を手作業にて端末内のメモリへ入力しており、ユーザーの一人一人が多くの作業を労している。手作業による入力には誤入力の可能性もある。また、内線電話の登録情報に変更があった場合にもユーザーの端末へは通知されず、未更新のままの内線電話番号で呼び出しを行い、誤発信となる事例も多く見られる。データベース上の登録ユーザーの管理においても同様であり、人の手による多くの作業を要している。
【００１０】
特許文献１に記載されたグループ内の端末の電話帳を自動更新する技術は、ユーザーおよびデータベース管理者の手による入力作業を解消でき、端末の電話番号情報を最新の状態に保つことができる。しかし、データベースに登録された電話番号情報に変更が生じる度に登録ユーザー毎に変更を行う為、上記に示したオフィス内携帯内線電話の環境では特定の時期に多数のデータ変更が同一エリア内にて生じる為、過剰な無線トラフィックが発生する。
【００１１】
また、ユーザー個人による電話番号情報の管理では、ユーザーが端末を紛失した際に端末に記録されている通話先情報の漏洩を防ぐ方法が無い。したがって、セキュリティ面での脆弱さが懸念される。
【００１２】
本発明は上記のような事情を鑑みてなされたものであり、その目的とするところは、ユーザーおよびデータベース管理者の手入力による作業の削減、オフィス内の無線トラフィックの軽減および情報漏洩の危険の少ないセキュリティの高い通信システムおよび無線携帯端末を提供することを目的とする。
【課題を解決するための手段】
【００１３】
上記課題は、携帯端末と、この携帯端末と通信する無線基地局と、この無線基地局とＩＰネットワークで接続され、無線基地局の配下の携帯端末情報を管理するセンタ局とからなり、センタ局は、無線基地局の配下の携帯端末情報に更新があったとき、携帯端末に、携帯端末情報を送信する通信システムにより達成できる。
【００１４】
また、少なくとも通信相手の電話番号を記録されたメモリを含む携帯端末と、この携帯端末を配下とする無線基地局と、この無線基地局とＩＰネットワークで接続され、無線基地局の配下の携帯端末情報を管理するセンタ局とからなり、センタ局は、携帯端末が、無線基地局の配下から外れたことを検出したとき、予め定めた時間後に、携帯端末宛に、メモリの一部または全ての消去要求を送信する通信システムにより達成できる。
【００１５】
さらに、ＲＦ信号処理とＤ/Ａ変換およびＡ/Ｄ変換と変調復調処理を行う無線終端部と、該無線終端部と接続され、通信の制御を行う制御部と、該制御部と接続され、少なくとも通信相手の電話番号を記録されたメモリとからなり、無線基地局からメモリ消去信号を受信したとき、メモリの一部または全てを消去する無線携帯端末により達成できる。
【発明の効果】
【００１６】
本発明によれば、携帯端末の電話帳を自動的に更新/消去することができる。
【発明を実施するための最良の形態】
【００１７】
以下、本発明の実施の形態について、実施例を用いて図面を参照しながら説明する。
【実施例１】
【００１８】
図１は、通信システムの構成を示すブロック図である。図１において、通信システム１００は、携帯電話機などの携帯端末１０、この携帯端末１０と無線にて音声およびデータ通信を行う無線基地局２０、呼制御やユーザー認証を行うセンタ局３０、携帯端末、構内内線電話の電話番号情報、ユーザー情報より構成されるデータベースを有するサーバ４０、一般電話回線である無線公衆網５０、サーバ４０と無線基地局２０の間でパケットデータの経路となるＩＰ網６０、オフィス内の有線内線電話である固定内線８０、音声の交換機であるＰＢＸ７０より構成される。携帯端末１０が外部と通信を行う場合、音声通話とデータ通信では経路が異なる。すなわち、音声通話では携帯端末１０、無線基地局２０、センタ局３０、無線公衆網５０の経路で接続するのに対し、データ通信では携帯端末１０、無線基地局２０、ＩＰ網６０の経路で接続する。なお、当然ではあるが、構内無線内線網のみの環境ではＰＢＸ７０と固定内線８０は必要ない。
【００１９】
図２は、サーバのハードウェア構成を説明するブロック図である。図２において、サーバ４０は、バス４１に接続されたＣＰＵ４２と、メモリ４３と、外部記憶装置４４と、ネットワークインターフェース４５とで構成される。
【００２０】
図３は、外部記憶装置に記憶するデータベースを説明する図である。サーバ４０の外部記憶装置４４は、構内電話に関する情報リスト４６と無線携帯端末情報リスト４７から構成されるデータベースを有する。構内電話情報リスト４６は、ＰＢＸ７０に接続された固定内線８０に関する内線番号およびユーザー情報とで構成される。無線携帯端末情報リスト４７は、構内にて内線電話として使用される携帯端末の電話番号情報およびユーザー情報とで構成される。基地局から携帯端末へデータベースを送信する際には、無線携帯端末情報リスト４７に登録された携帯端末が送信先となる。なお、ＰＢＸ７０および固定内線８０を接続しないシステム構成の場合、構内電話情報リスト４６は不要である。
【００２１】
図４は、携帯端末の内部構成を説明するブロック図である。図４において、携帯端末１０はＲＦ信号処理、Ｄ/Ａ、Ａ/Ｄ変換、変調復調処理を行う無線終端部１１、音声通話、データ通信の制御を行う制御部１２、通話先の電話番号、ユーザー情報を記録するメモリ１３で構成される。メモリ１３の内部は構内電話および無線携帯端末の情報リスト１４と個人使用電話帳１５の２つの領域に分割される。構内電話および無線携帯端末の情報リスト１４は、基地局から定期的にデータをダウンロードする為の領域である。一方、個人使用電話帳１５は、ユーザーが顧客の電話番号など構内電話とは異なる電話番号情報を記録する為の領域である。構内電話および無線携帯端末の情報リスト１４と個人使用電話帳１５がそれぞれ別の領域に分けてあるため、個人使用電話帳１５へデータがダウンロードされ上書きされることはない。
【００２２】
図５は、センタ局のデータベース更新処理と差分電話帳情報送信処理を説明するフロー図である。センタ局３０は、ユーザーからの新規登録および登録解除を受信していると、その都度データベース４６、４７を更新する（Ｓ１）。次に、センタ局３０は、前回の差分電話帳情報送信処理開始時刻から規定時間（この場合２４時間）経過したか判定する（Ｓ２）。ステップ２の判定がＮｏならばステップ１に戻る。ステップ２の判定がＹｅｓならば、前回更新との差分電話帳データを、無線基地局２０のエリア内の携帯端末１０に対してブロードキャスト送信する。なお、新規登録された携帯端末に対しては、後述する。
【００２３】
図６は、携帯端末と無線基地局とセンタ局との間の携帯端末の新規登録のシーケンスを説明する図である。図６において、新規ユーザーが携帯端末１０の電源を投入すると（Ｓ５）、無線基地局２０が一定間隔（約５秒）で送信するゾーン情報を受信する（Ｓ６）。携帯端末１０は、それまで受信していたゾーン信号とは異なるゾーン信号を受信したことを認知し、センタ局３０へ対して電話番号情報を送信する（Ｓ７）。電話番号情報を受信したセンタ局３０は受信した電話番号情報をキーにデータベースを検索し（Ｓ８）、検索結果を携帯端末へ送信する（Ｓ９）。この場合、データベースに該当者はいないので、ユーザー情報の入力を求める検索結果である。携帯端末１０は、ユーザーによるユーザー情報入力を受け付け（Ｓ１０）、これをセンタ局３０に送信する（Ｓ１０）。センタ局３０は、先に受信した電話番号情報とユーザー情報を関連付けてデータベースへ登録し（Ｓ１２）、登録完了したことを携帯端末１０へ通知する（Ｓ１３）。ここまでの処理でデータベースへの登録作業は完了し、続いて携帯端末１０の電話帳データ更新処理を行う。
【００２４】
基地局からの登録完了通知を受信した携帯端末１０は、メモリ１３の内線電話用領域１４を初期化し（Ｓ１４）、メモリの初期化が完了したことをセンタ局３０へ通知する（Ｓ１５）。メモリ初期化完了通知を受信したセンタ局３０は、電話帳データをユニキャスト方式で送信する（Ｓ１６）。電話帳データを受信した携帯端末１０は、電話帳データを内線電話用領域１４へ書き込み（Ｓ１７）、電話帳更新作業を完了し、起動する。
【００２５】
この更新は、データベースへ登録された他のユーザーへは即座に反映されないが、新規登録したユーザーへはユニキャスト方式にて更新直後に電話帳データが送信されるので、新規登録したユーザーは登録直後に使用可能な状態となる。
【００２６】
また、既登録ユーザーの端末を別のユーザーへ登録変更する場合もほぼ同様であり、ユーザーが携帯端末から登録者変更通知を基地局へ送信し、サーバ上のデータベースの更新後、電話帳データが登録者変更をした携帯端末へ送信される。
【００２７】
図７は、携帯端末と無線公衆網基地局とセンタ局との間の携帯端末の登録削除のシーケンスを説明する図である。図７において、データベースに登録された携帯端末１０が無線基地局２０のエリアの外へ移動し、無線公衆網基地局５１のエリアへ侵入した場合を説明する。携帯端末１０は、無線公衆網基地局５１の送信したゾーン情報を受信し（Ｓ１８）、それまで受信していたゾーン情報と異なるゾーン情報を受信したことを認知し、電話番号情報を無線公衆網基地局５１へ送信する。携帯端末の電話番号情報を受信した無線公衆網基地局５１は、受け取った電話番号情報をセンタ局３０へ転送する（Ｓ１９）。なお、上述したように携帯端末１０とセンタ局３０との間の通信には、無線公衆網基地局が介在する。しかし、図示の簡便のため図７では一本の矢印で記載する。これは、他のステップでも同様である。
【００２８】
電話番号情報を受け取ったセンタ局３０は、サーバ内データベースを検索し（Ｓ２０）、この場合データベースに登録されているので、通知された電話番号情報を持つ携帯端末１０がエリア外へ移動したと判断し、タイマーの動作を開始する（Ｓ２１）。この場合、規定時間（２４０時間）になってもエリア内へ戻って来なかったので、センタ局３０は、無線公衆網基地局５１を経由して携帯端末１０へメモリ消去信号を送信する（Ｓ２３）。メモリ消去信号を受信したエリア外の携帯端末１０は、メモリ１３の内線電話用領域１４を消去し（Ｓ２４）、無線公衆網基地局５１経由でセンタ局３０へ消去完了通知を送付する（Ｓ２５）。消去完了通知を受信したセンタ局３０は、携帯端末１０の電話番号情報およびユーザー情報をデータベースより削除する（Ｓ２６）。以上で、登録削除の処理は完了する。
【００２９】
なお、エリア外へ移動していた携帯端末１０が、規定時間以内にエリア内に戻ってきた場合は、センタ局３０は、タイマーを停止する。また、携帯端末のオートパワーオフ（毎日一定時刻に電源を切る）と電源オンのロック番号とを併用することによって、内線電話情報の漏れをなくすことができる。
【００３０】
上述した実施例に拠れば、構内携帯電話網においてサーバ内電話帳データベースおよびデータベースに登録された携帯端末の電話帳を自動的に更新することができる。また、構内から持ち出された携帯端末の構内電話帳を自動的に消去することができる。
【００３１】
なお、上述した実施例は構内携帯電話網について説明したが、紛失した携帯電話の電話帳の削除にも対応できる。この場合は、携帯端末１０の個人使用電話帳１５を消去すればよい。同様にメールの記録を削除することも可能である。
【図面の簡単な説明】
【００３２】
【図１】通信システムの構成を示すブロック図である。
【図２】サーバのハードウェア構成を説明するブロック図である。
【図３】外部記憶装置に記憶するデータベースを説明する図である。
【図４】携帯端末の内部構成を説明するブロック図である。
【図５】センタ局のデータベース更新処理と差分電話帳情報送信処理を説明するフロー図である。
【図６】携帯端末と無線基地局とセンタ局との間の携帯端末の新規登録のシーケンスを説明する図である。
【図７】携帯端末と無線公衆網基地局とセンタ局との間の携帯端末の登録削除のシーケンスを説明する図である。
【符号の説明】
【００３３】
１０…携帯端末、１１…無線終端部、１２…制御部、１３…メモリ部、１４…構内電話および無線携帯端末の情報リスト、１５…個人使用電話帳、２０…無線基地局、３０…センタ局、４０…サーバ、４１…バス、４２…ＣＰＵ、４３…メモリ、４４…外部記憶装置、４５…ネットワークインターフェース、４６…構内電話情報リスト、４７…無線携帯端末情報リスト、５０…無線公衆網、５１…無線公衆網基地局、６０…ＩＰ網、７０…ＰＢＸ、８０…固定内線電話機、１００…通信システム。
【図１】
2007174326.tif 000003
【図２】
2007174326.tif 000004
【図３】
2007174326.tif 000005
【図４】
2007174326.tif 000006
【図５】
2007174326.tif 000007
【図６】
2007174326.tif 000008
【図７】
2007174326.tif 000009